(57)【要約】      （修正有）【課題】光ディスクを用いたスクラッチ再生を操作性良くかつ小さなサイズで実現する操作パネルの提供。【解決手段】操作手段は回転可能な操作円盤部２３と、操作円盤部の回転方向と回転速度を検出する回転検出手段２７、２９と、操作円盤部が押圧されたことを検出する複数の押圧検出手段からなり回転検出手段と複数の押圧検出手段とから出力された信号に応じて予め定められた種類の再生を行う。【選択図】図２
2006268902.tif 000002
【特許請求の範囲】
【請求項１】
光ディスクに記録された情報を再生する光ディスク再生装置であって、
前記光ディスクから情報を読み出す読み出し手段と、
前記読み出し手段により読み出された情報を記憶する記憶手段と、
前記記憶手段に記憶された情報の再生を制御する制御手段と、
前記制御手段における再生についての予め定めた指示を受け付ける操作手段と、
前記制御手段により再生された情報を出力する出力手段とを有し、
前記操作手段は、
回転可能な操作円盤部と、
前記操作円盤部の回転方向および回転速度を検出し前記制御手段に検出結果を第一の制御信号として出力する回転検出手段と、
前記操作円盤部の異なる位置に配置されて前記操作円盤部が押圧されたことを各々検出し前記制御手段に予め定められた信号を出力する複数の押圧検出手段と、を備え、
前記制御手段は、
前記複数の押圧検出手段に、押圧を検出した際に出力すべき信号の種類を指示する出力信号指示手段と、
前記第一の制御信号と前記複数の押圧検出手段から出力された信号とに応じて、予め定められた種類の再生を行うよう制御する再生制御手段と、を備えること
を特徴とする光ディスク再生装置。
【請求項２】
請求項１記載の光ディスク再生装置であって、
前記押圧検出手段から出力される信号は、第二の制御信号および第三の制御信号のいずれかであり、
前記操作手段は、ユーザから前記複数の押圧検出手段の中から所定の押圧検出手段を選択する指示を受け付ける選択指示手段をさらに備え、
前記出力信号指示手段は、前記選択指示手段で選択された押圧検出手段については前記第三の制御信号を、前記選択されていない押圧検出手段については前記第二の制御信号を出力するよう指示すること
を特徴とする光ディスク再生装置。
【請求項３】
請求項２記載の光ディスク再生装置であって、
前記選択指示手段において選択された押圧検出手段を識別するための識別手段をさらに備えること
を特徴とする光ディスク再生装置。
【請求項４】
請求項３記載の光ディスク再生装置であって、
前記識別手段は、前記押圧検出手段毎に対応づけられたＬＥＤを備え、
前記選択指示手段において選択された押圧検出手段に対応して設けられているＬＥＤが点灯すること
を特徴とする光ディスク再生装置。
【請求項５】
請求項２、３または４記載の光ディスク再生装置であって、
前記再生制御手段は、
前記第一の制御信号、第二の制御信号および第三の制御信号のいずれの入力も受けていない場合は、通常の再生を行うよう制御し、
前記第一の制御信号のみの入力を受けている場合は、当該第一の制御信号から取得される前記回転方向および回転速度に従って、ピッチベンド再生を行い、
前記第一の制御信号および前記第二の制御信号の入力を受けている場合は、当該第一の制御信号から取得される前記回転方向および回転速度に従って、スクラッチ再生を行い、
前記第一の制御信号および前記第三の制御信号の入力を受けている場合は、当該第一の制御信号から取得される前記回転方向および回転速度に従って、スキャン再生を行うこと
を特徴とする光ディスク再生装置。
【請求項６】
請求項５記載の光ディスク再生装置であって、
前記再生制御手段は、
前記第二の制御信号の入力が停止したことを検出したタイミングで、前記スクラッチ再生を停止すること
を特徴とする光ディスク再生装置。
【発明の詳細な説明】
【技術分野】
【０００１】
本発明は、光ディスクから読み取ったオーディオデータを記憶部に記憶し、記憶部に記憶したオーディオデータの読み出し速度及び読み出し順序を指示する操作円盤部を備える光ディスク再生装置の技術に関する。
【背景技術】
【０００２】
光ディスク再生装置を操作してオーディオデータを再生するディスクジョッキー（ＤＪ：Ｄｉｓｃ  Ｊｏｃｋｅｙ）は、アナログレコード又はコンパクトディスク（ＣＤ：Ｃｏｍｐａｃｔ  Ｄｉｓｃ）等のディスクに記録された信号を再生している最中に、擦れ音のような効果音を発生させるスクラッチ再生と呼ばれる特殊再生を行うことがある。ＤＪは、アナログレコードプレーヤを用いてスクラッチ再生を行う場合、再生中のアナログレコードを素早く通常の回転方向である時計回り方向又はその反対方向である反時計回り方向に強制的に手動で回すことにより擦れ音を発生させる。また、このアナログレコードプレーヤによるスクラッチ再生と同様のスクラッチ再生を行うことが可能なＤＪ用ＣＤプレーヤがある。
【０００３】
このＤＪ用ＣＤプレーヤは、ジョグダイヤルおよび記憶部（メモリ）を備え、ＣＤから再生したオーディオデータをメモリに記憶し、ジョグダイヤルを時計回り方向又は反時計回り方向に回転させることにより、メモリに記憶されたオーディオデータの読み出し速度および読み出し順序を制御し、アナログレコードによる擦れ音と同等の効果音を発生させる。このように、ＤＪは、ＣＤに記録されたオーディオデータをＤＪ用ＣＤプレーヤにより再生させることにより、ジョグダイヤルをアナログレコードと同じように回転操作して、アナログレコードと同様のスクラッチ再生を行うことができる（例えば、特許文献１参照。）。
【０００４】
このようなＤＪ用ＣＤプレーヤは、ジョグダイヤルが操作されない場合、ＣＤに記録されたオーディオデータを標準速度で再生（以下、通常再生という）する。ジョグダイヤルが回転操作された場合、ＤＪ用ＣＤプレーヤは、ジョグダイヤルの回転速度及び回転方向を検出し、検出した回転速度及び回転方向に応じて、ＣＤから再生し、メモリに記憶したオーディオデータの読み出し速度および読み出し順序を変えるスクラッチ再生を行っている。
【０００５】
また、ＤＪ用ＣＤプレーヤは、ジョグダイヤルの他に通常のＣＤプレーヤにない入力ボタン等を備えている。例えば、ループ（繰り返し）再生を行う開始点（Ａポイント）を設定するＡボタン、ループ再生を行う終了点（Ｂポイント）を設定するＢボタン、トラックの再生を開始した位置（キューポイント）に戻りスタンバイ状態にするキューボタン、再生スピードを変化させるピッチベンドボタン、ループ再生のＡポイントやＢポイントなどの設定データを記憶、読み出すメモモードにするメモボタン、初期状態を設定するためのプリセットモードにするプリセットボタン、再生スピードを調整するピッチスライダーなどがある。
【０００６】
【特許文献１】特開平１１−８６４４６号公報
【発明の開示】
【発明が解決しようとする課題】
【０００７】
従来のＤＪ用ＣＤプレーヤにおいて、アナログレコードのターンテーブルと同様な操作感覚を得るためには、ジョグダイヤルをアナログレコードと同等の大きさにする必要がある。
【０００８】
ジョグダイヤルを大きくすると、操作パネルの面積は限られているため、上述したような複数の入力ボタンの配置が難しくなる。この場合、入力ボタンを小さくすると操作感覚が悪くなるという問題があり、また、従来の操作パネルより面積を大きくと、装置全体が大型化するという問題がある。
【０００９】
本発明は、上記課題を解決するために、光ディスク再生装置において、操作性を犠牲にせず、操作パネルのサイズを小さくすることができ、装置全体を小型化することができる技術を提供することを目的とする。
【課題を解決するための手段】
【００１０】
本発明は、上記課題を解決するため、操作円盤部上の押圧する位置によって、異なる信号を出力するよう構成し、出力された信号に応じて、操作円盤部の操作を異なるモードでの再生に適用する。
【００１１】
具体的には、光ディスクに記録された情報を再生する光ディスク再生装置であって、前記光ディスクから情報を読み出す読み出し手段と、前記読み出し手段により読み出された情報を記憶する記憶手段と、前記記憶手段に記憶された情報の再生を制御する制御手段と、前記制御手段における再生についての予め定めた指示を受け付ける操作手段と、前記制御手段により再生された情報を出力する出力手段とを有し、前記操作手段は、回転可能な操作円盤部と、前記操作円盤部の回転方向および回転速度を検出し前記制御手段に検出結果を第一の制御信号として出力する回転検出手段と、前記操作円盤部の異なる位置に配置されて前記操作円盤部が押圧されたことを各々検出し前記制御手段に予め定められた信号を出力する複数の押圧検出手段と、を備え、前記制御手段は、前記複数の押圧検出手段に、押圧を検出した際に出力すべき信号の種類を指示する出力信号指示手段と、前記第一の制御信号と前記複数の押圧検出手段から出力された信号とに応じて、予め定められた種類の再生を行うよう制御する再生制御手段と、を備えることを特徴とする光ディスク再生装置を提供する。
【発明の効果】
【００１２】
本発明によれば、光ディスク再生装置において、操作性を犠牲にせず、操作パネルのサイズを小さくすることができ、装置全体を小型化することができる。
【発明を実施するための最良の形態】
【００１３】
以下、本発明の実施の形態を図面に基づいて説明する。
【００１４】
図１は、本実施形態の光ディスク再生装置１００の構成を示すブロック図である。図１において、光ディスク再生装置１００は、ターンテーブル１、スピンドルモータ２、サーボ制御部３、光ピックアップ４、再生アンプ５、信号処理部６、メモリ制御部７、ＲＡＭ（Ｒａｎｄｏｍ  Ａｃｃｅｓｓ  Ｍｅｍｏｒｙ）８、ＤＡＣ（Ｄｉｇｉｔａ１  Ａｎａ１ｏｇ  Ｃｏｎｖｅｒｔｅｒ）９、出力端子１０、制御部１１、操作部１２および表示部１３を備える。
【００１５】
本実施形態における光ディスク再生装置１００は、操作部１２にジョグダイヤルを備え、ジョグダイヤルからの指示に従って、ＣＤから再生しＲＡＭ８に記憶されたデジタルオーディオデータの読み出し速度および読み出し順序を変えることができるＤＪ用のＣＤプレーヤである。
【００１６】
スピンドルモータ２に固定されたターンテーブル１は、ＣＤを固定する。操作部１２で再生開始の指示が入力されると、サーボ制御部３は、スピンドルモータ２を所定の線速度で回転駆動させて制御する。また、サーボ制御部３は、光ピックアップ４からのレーザ光によりＣＤのピット列を正しくトレースするために、図示しないフォーカスサーボ回路およびトラッキングサーボ回路を制御する。
【００１７】
光ピックアップ４が読み取ったデジタルオーディオデータは、再生アンプ５により波形整形及び増幅され信号処理部６に入力される。信号処理部６は、デジタルオーディオデータの復調、フォーカスエラー信号やトラッキングエラー信号等のエラー信号、同期信号の抜き出し等の処理をしてデジタルオーディオデータをメモリ制御部７に入力する。
【００１８】
メモリ制御部７は、入力されたデジタルオーディオデータをＲＡＭ８に入力するよう制御する。ＲＡＭ８は、入力されたデジタルオーディオデータを記憶する。ＲＡＭ８が記憶したデジタルオーディオデータは、メモリ制御部７の制御により読み出されＤＡＣ９に入力される。ＤＡＣ９は、デジタルオーディオデータをアナログオーディオ信号に変換する。ＤＡＣ９により変換されたアナログオーディオ信号は、出力端子１０から出力される。
【００１９】
表示部１３は、現在再生しているトラックの再生時間、トラックナンバー等を表示する。
【００２０】
操作部１２は、再生／再生停止指示やイジェクト指示などの予め定めた指示を受け付けるための入力スイッチを備える。また、本実施形態における操作部１２には、あらかじめ定めた指示を受け付けるために、ジョグダイヤルなどの回転可能な操作円盤部を備える。
【００２１】
図２および図３は、本実施形態における光ディスク再生装置１００の操作部１２が備えるジョグダイヤルの側断面を示す図である。また、図４は、本実施形態における光ディスク再生装置１００の操作部１２が備えるジョグダイヤルを上面から見た図である。
【００２２】
図２、図３および図４において、操作部１２は、載置部２１、マット部２２、操作円盤部２３、突起部２３ａ、保持部２４、回転軸２５、ネジ２６、スケール部２７、スリット部２７ａ、光ディスク再生装置１００の筐体部２８、光センサ部２９、８つの押圧検出部３０１〜３０８、それぞれの押圧検出部３０１〜３０８に設けられているスイッチ部３０ａ、および８つのＬＥＤ４０１〜４０８を備える。
【００２３】
本実施形態における操作円盤部２３は、直径１ｃｍ〜３０ｃｍのアナログレコードの大きさに相当する円盤状のジョグダイヤルにより構成され、光ディスク再生装置１００の上面に取り付けられている。
【００２４】
載置部２１は、筐体部２８に固定されている。マット部２２は、中心部に回転軸２５が挿入され載置部２１の上面に載置されている。操作円盤部２３は、中心部に回転軸２５が挿入されマット部２２の上面に載置されている。このマット部２２は、スプリットマットなどであり、操作円盤部２３が載置部２１上で滑らかに回転するために用いられている。マット部２２は、操作円盤部２３と略同一の外形を有し、摩擦係数が小さく、静電気が発生しにくい樹脂材料等からなる。
【００２５】
載置部２１、マット部２２および操作円盤部２３は、操作者であるＤＪが用いるアナログレコードプレーヤの、ターンテーブル、スリップマット及びアナログレコードに対応する。このため、操作者は、アナログレコードプレーヤと同様の操作感覚で本実施形態における光ディスク再生装置１００を操作することができる。
【００２６】
また、載置部２１は、ポリカーボネート樹脂等からなる。ここで、操作円盤部２３として、載置部２１上で滑らかに回転することができ静電気が発生しにくい材料を用いれば、上述したマット部２２は、載置部２１と操作円盤部２３との間に備えなくても良い。
【００２７】
保持部２４は、中心部に回転軸２５が挿入され操作円盤部２３の上面に載置されており、保持部２４に設けられた図示しない凹部に操作円盤部２３に設けられた突起部２３ａを挿入しネジ２６で回転軸２５に固定される。このため、操作円盤部２３は、回転操作されても回転軸２５から外れることがなく、マット部２２を介して載置部２１の上面で回転することができる。
【００２８】
スケール部２７は、中心部に回転軸２５が挿入され図示しないネジにより回転軸２５に固定されている。操作円盤部２３とスケール部２７は、回転軸２５を介して一体的な構造となっているため、操作円盤部２３が回転操作されると、スケール部２７も操作円盤部２３と同じ回転速度および同じ回転方向で回転する。スケール部２７は、外周部に形成されたスリットからなるスリット部２７ａを備える。スリット部２７ａのスリットは、例えば、長方形状の開口部又はカーボンが含まれた印刷塗料による印刷によって形成されている。
【００２９】
本実施形態の第１の検出部である光センサ部２９は、操作円盤部２３の回転方向および回転速度を検出し、第一制御信号を出力する。光センサ部２９は、２つの光センサを同一円周上の異なる位置に備え、操作円盤部２３と共に回転するスケール部２７の回転速度及び回転方向を検出する。光センサ部２９は、筐体部２８の、スリット部２７ａを検出できる位置に固定されている。光センサ部２９の２つの光センサは、操作円盤部２３の回転に伴い回転するスケール部２７のスリット部２７ａを検出すると、それぞれパルス信号ａおよびパルス信号ｂを生成し、制御部１１に出力する。これが前述の第一制御信号である。光センサ部２９の２つの光センサは異なる位置に設置されているため、回転するスリット部２７ａの検出時刻がずれる。このため、それぞれから出力されるパルス信号ａおよびパルス信号ｂは位相差（例えば、９０度の位相差）を有する。
【００３０】
本実施形態の第２の検出部である押圧検出部３０１〜３０８は、それぞれ操作円盤部２３の所定の位置が押下されたことを検出し、制御部１１の指示により、第二制御信号または第三制御信号を出力する。各押圧検出部３０１〜３０８は、筐体部２８上の、回転軸２５の中央を中心とした半径Ｒの円の同一円周上に等間隔で備えられている。押圧検出部３０１〜３０８は、押圧検出部３０１〜３０８は、操作者が、操作円盤部２３上の、押圧検出部３０１〜３０８の上方にあたる位置を押下したことを検出し、制御信号を出力するためのものである。従って、図４に示すように、筐体２８上の、操作円盤部２３の外縁近傍であって外縁の内側の真下にあたる位置に設けられる。また、操作円盤部２３の半径の長さと半径Ｒとをほぼ等しく設ける、すなわち、操作円盤部２３の外周の真下にあたる位置に設けてもよい。なお、押圧検出部３０１〜３０８が、操作円盤部２３の外周部に近い場所の押下を検出可能な位置に設けられる理由は、後述する。
【００３１】
本実施形態では、８個の押圧検出部３０１〜３０８を、隣接する押圧検出部間の距離が均等になるように設けている。しかし、押圧検出部３０１〜３０８の数は、これに限られず、操作円盤部２３の大きさや載置部２１および操作円盤部２３の弾性強度に応じて定められる。
【００３２】
また、押圧検出部３０１〜３０８は、それぞれ載置部２１との間に載置部２１に接するようにスイッチ部３０ａを備える。各スイッチ部３０ａは、例えば、ソフトタッチタイプ（スイッチ部３０ａを押し下げたとき、反発抵抗が小さいタイプ）のプッシュ型のスイッチであり、スイッチ部３０ａの移動量（ストローク）は、０．５ｍ程度である。押圧検出部３０１〜３０８は、対応して設けられているスイッチ部３０ａが押下（タッチ）されたことと押下が解除（リリース）されたこととを検出し、押下（タッチ）されたことを検出すると第二制御信号または第三制御信号の出力を開始し、押下が解除（リリース）されたことを検出すると第二制御信号または第三制御信号の出力を停止する。
【００３３】
なお、スイッチ部３０ａは、光ディスク再生装置１００の操作者が操作円盤部２３の外周部を押圧することにより、押下される。すなわち、図３に示すように、光ディスク再生装置１００の操作者が操作円盤部２３の外周部を押圧すると、載置部２１、マット部２２および操作円盤部２３は、Ｄ点を支点として押圧力により下方向に撓み、載置部２１がスイッチ部３０ａを押下する。
【００３４】
ＬＥＤ４０１〜４０８は、操作円盤部２３上の、押下すると第三制御信号が出力される位置を操作者に示す手段であり、それぞれ、操作円盤部２３の同心円の半径方向の各押圧検出部３０１〜３０８の外側であって、操作円盤部２３の外部に配設される。ＬＥＤ４０１〜４０８は、同じ半径上の対応する押圧検出部３０１〜３０８が選択された場合、制御部１１からの指示により点灯することにより、当該押圧検出部が選択されていること、すなわち、操作円盤部２３の当該押圧検出部上を押下すると第三制御信号が出力されることを操作者に示す。このＬＥＤ４０１〜４０８の点灯により、操作者は、本実施形態の光ディスク再生装置１００の場合、後述するように、操作円盤部２３上の当該押圧検出部上以外の部分を押下しながら回転させることによりスクラッチ再生が実現され、他の部分を押下しながら回転させることによりスキャンが実現されることを知ることができる。
【００３５】
制御部１１は、ＬＥＤ選択処理部１１１と、押圧箇所判別処理部１１２と、回転方向および速度判定部１１４と、再生制御部１１５と、を備える。
【００３６】
また、制御部１１は、図示しないメモリに、ＬＥＤ４０１〜４０８毎に近接する押圧検出部３０１〜３０８を位置情報７００として保持する。図５に位置情報７００の一例を示す。本図に示すように、位置情報７００は、ＬＥＤ４０１〜４０８を特定する情報を格納するＬＥＤ格納部７０１と、当該ＬＥＤに近接する押圧検出部３０１〜３０８を特定する情報を格納する近接押圧検出部格納部７０２と、ＬＥＤ格納部７０１に格納されている情報で特定されるＬＥＤが図示しない選択指示部の指示により選択されているか否かを示す情報を格納する状態格納部７０３とを備える。
【００３７】
ＬＥＤ選択処理部１１１は、ユーザのＬＥＤの選択の指示を受け付ける図示しない選択指示部から、ＬＥＤ４０１〜４０８のうちいずれか１つを選択する指示を受け付けると、選択されたＬＥＤに対応する状態格納部７０３に選択されていることを意味する情報を格納する。本実施形態では、「点灯」を格納する。そして、選択されたＬＥＤを点灯させる。以後、制御部１１は、位置情報７００を参照し、後述の各種の制御信号の出力を制御する。
【００３８】
押圧箇所判別処理部１１２は、対応するスイッチ部３０ａの押下を検出した押圧検出部３０１〜３０８が、選択されている（点灯されている）ＬＥＤに近接するものであるか否かを判別し、当該押圧検出部３０１〜３０８が第二制御信号を出力するか、第三制御信号を出力するかを決定し、指示する。本実施形態では、近接していない押圧検出部３０１〜３０８からの通知の場合、第二制御信号を出力するよう通知元の押圧検出部３０１〜３０８に指示し、近接する押圧検出部３０１〜３０８からの通知の場合、第三制御信号を出力するよう通知元の押圧検出部３０１〜３０８に指示する。
【００３９】
具体的には、制御部１１の押圧箇所判別処理部１１２は、１つ以上の押圧検出部３０１〜３０８から、押下の検出の通知を受けると、位置情報７００を参照し、押下の検出を通知してきた押圧検出部３０１〜３０８が、選択されている（状態格納部７０３に「点灯」が格納されている）ＬＥＤ４０１〜４０８に近接するものとして近接押圧検出部格納部７０２に格納されているか否かを判別する。格納されていないと判別した場合、第二制御信号を出力する指示を通知元の押圧検出部３０１〜３０８に指示し、格納されていると判別した場合、第三制御信号を出力する指示を通知元の押圧検出部３０１〜３０８に指示する。
【００４０】
なお、本実施形態においては、ＬＥＤ４０１〜４０８のうち、選択されたＬＥＤに近接した１つの押圧検出部のみから第三制御信号を出力し、それ以外の押圧検出部からは第二制御信号を出力する構成としたが、点灯しているＬＥＤに近接した複数の押圧検出部から第三制御信号を出力する構成としてもよい。例えば、ＬＥＤ４０１が選択されている場合、当該ＬＥＤ４０１に近接した３つの押圧検出部、つまり押圧検出部３０１、３０２および３０８が押圧された場合、それらの押圧検出部から第三の制御信号が出力され、それ以外の押圧検出部が押圧された場合、それらの押圧検出部から第二制御信号を出力する構成としてもよい。この場合、位置情報７００の、近接押圧検出部格納部７０２に、複数の押圧検出部を登録するよう構成すればよい。
【００４１】
例えば、ＬＥＤ４０１〜４０８のうち、図示しない選択指示部からの指示信号によりＬＥＤ４０１が点灯している場合、載置部２１の外周部がＬＥＤ４０１に近接した押圧検出部として位置情報７００に保持されているのは、押圧検出部３０１である。従って、制御部１１は、押圧検出部３０１には、押下を検出した際、第三の制御信号を出力するよう指示し、他の押圧検出部３０２〜３０８には、押下を検出した際、第二の制御信号を出力するよう指示する。
【００４２】
押圧検出部３０１以外の押圧検出部である３０２〜３０８の押圧検出部のスイッチ部３０ａが押し下げられて押下が検出されると、押下を検出された押圧検出部３０２〜３０８は、第二制御信号を制御部１１に出力する。一方、押圧検出部３０１のスイッチ部３０ａが押し下げられ、押下が検出されると、押圧検出部３０１は、第三制御信号を制御部１１に出力する。
【００４３】
また、回転方向および速度判定部１１４は、入力された第一制御信号により、操作円盤部２３の回転方向を判別し、回転速度を算出する。具体的には、操作円盤部２３の回転方向は、入力される第一制御信号のパルス信号ａおよびパルス信号ｂの位相差に基づいて判別される。例えば、パルス信号ａおよびパルス信号ｂの位相差が９０度である場合、操作円盤部２３が時計回り方向に回転しているとき、パルス信号ａは、パルス信号ｂに対して、＋９０度の位相差を示し、一方、操作円盤部２３が反時計回り方向に回転しているとき、パルス信号ａは、パルス信号ｂに対して、―９０度の位相差を示す。制御部１１の回転方向および速度判定部１１４は、位相差のプラスマイナスにより回転方向を判別する。また、制御部１１の回転方向および速度判定部１１４は、一定時間に入力された第一制御信号のパルス信号ａ又はパルス信号ｂのどちらか一方のパルス信号のパルス数から操作円盤部２３の回転速度を算出する。
【００４４】
なお、点灯しているＬＥＤに近接した押圧検出部３０１〜３０８が押し下げられた場合に第三制御信号を出力し、それ以外の押圧検出部３０１〜３０８が押し下げられた場合に第二制御信号を出力する構成としたのは、点灯しているＬＥＤ４０１〜４０８に近接した部分の操作円盤部２３が押下された状態で操作円盤部２３が回転したときと、それ以外の部分の操作円盤部２３が押下された状態で操作円盤部２３が回転したときとで、実現される操作モードを区別できるようにするためである。
【００４５】
本実施形態の光ディスク再生装置１００は、操作円盤部２３の点灯しているＬＥＤ４０１〜４０８に近接した部分が押下された場合は、早送りまたは早戻しを行うスキャンモードを実現し、それ以外の部分が押下された場合は、操作者が操作円盤部に与えた回転操作に従ってスクラッチ再生を行うスクラッチモードを実現する。その他にも、本実施形態の光ディスク再生装置１００は、再生の指示を受け付けた場合、装着されたＣＤの通常再生を行う通常再生モードと、再生する速度を連続的に変化させて再生を行うピッチベンドモードとを実現する。
【００４６】
制御部１１の再生制御部１１５は、光ディスク再生装置１００に備えられた各検出部から入力された制御信号の種類、組み合わせに従って、これらのモードを切り替える。
【００４７】
再生制御部１１５は、第一制御信号、第二制御信号および第三制御信号のいずれも入力されていないと判別した場合は、通常再生モードで動作するよう光ディスク再生装置１００を制御する。これは、操作円盤部２３が回転操作されていない状態である。
【００４８】
再生制御部１１５は、第一制御信号、第二制御信号および第三制御信号のいずれの入力もない状態から第一制御信号のみの入力を検出した場合、ピッチベンドモードでの再生を実現するよう制御する。すなわち、操作者により、載置部２１、マット部２２および操作円盤部２３が撓まない力加減で操作円盤部２３が回転され、第一制御信号のみが制御部１１に入力されると、それを検出した再生制御部１１５は、入力された第一制御信号から判別した操作円盤部２３の回転方向に応じて、ＲＡＭ８から読み出すデジタルオーディオデータの読み出し速度を速く又は遅くするようにメモリ制御部７を制御し、ピッチベンドモードでの再生を実現する。
【００４９】
再生制御部１１５は、第一の御信号に加え第二制御信号が入力されたことを検出すると、スクラッチモードでの再生を実現するよう制御する。すなわち、第一制御信号により判別した操作円盤部２３の回転方向と回転速度に従った読み出し速度および読み出し順序でＲＡＭ８からデジタルオーディオデータを読み出すようメモリ制御部７を制御する。メモリ制御部７は、ＲＡＭ８に記憶されたデジタルオーディオデータの読み出し速度および読み出し順序（オーディオデータを昇順アドレスで読み出すか降順アドレスで読み出すか）を再生制御部１１５の指示に従って制御する。
【００５０】
例えば、図示しない選択指示部からの指示信号によってＬＥＤ４０１が点灯し、操作円盤部２３の押下により、ＬＥＤ４０１に近接する押圧検出部３０１以外の押圧検出部である押圧検出部３０２〜３０８のスイッチ部３０ａが押下されている場合、再生制御部１１５は、操作円盤部２３が時計回り方向に回転操作されたことが判別されると、その操作された（判別された）回転速度に応じた読み出し速度で、ＲＡＭ８に記憶されたデジタルオーディオデータを昇順アドレスで読み出すように制御する。一方、同じ条件で、操作円盤部２３が反時計回り方向に回転操作されたことを判別すると、その操作された（判別された）回転速度に応じた読み出し速度で、ＲＡＭ８に記憶されたデジタルオーディオデータを降順アドレスで読み出すよう制御する。
【００５１】
さらに、再生制御部１１５は、第一制御信号に加え第三制御信号が入力されたことを検出すると、スキャンモードでの再生を実現するよう制御する。すなわち、第一制御信号から判別した操作円盤部２３の回転方向に応じて、早送り（通常再生方向で再生速度を速めること）または早戻し（通常再生方向と逆方向で再生速度を速めること）のスキャンを実行するようにメモリ制御部７を制御する。
【００５２】
例えば、図示しない選択指示部からの指示信号によって、ＬＥＤ４０１が点灯し、操作円盤部２３の押下により、ＬＥＤ４０１に近接する押圧検出部である押圧検出部３０１のスイッチ部３０ａが押下されている場合であって、操作円盤部２３が時計回り方向に回転操作されたことを検出すると、再生制御部１１５は、早送りの２倍速（通常再生速度に対して、２倍の再生速度）スキャンを実行し、同条件で操作円盤部２３が反時計回り方向に回転操作されると、早戻しの２倍速スキャンを実行するよう制御する。
【００５３】
次に、本実施形態の光ディスク再生装置１００の各操作モードにおける動作の詳細について説明する。
【００５４】
まず、通常再生モードについて説明する。操作者は、操作部１２の図示しない再生ボタンを押すことにより、ＣＤに記録されたオーディオデータの通常再生を開始させる。すなわち、本実施形態の光ディスク再生装置１００は、再生の指示を受け付け、かつ、操作円盤部２３が回転操作されていないとき、通常再生を行う。これは、本実施形態の光ディスク再生装置１００の制御部１１が、操作部１２の再生ボタンが押下されたことを検出し、かつ、第一制御信号、第二制御信号および第三制御信号のいずれの入力も検出していない場合、ターンテーブル１上に載置されたＣＤに記録されたオーディオデータを通常再生モードで再生を行うようメモリ制御部７を制御することによって実現される。
【００５５】
次にスクラッチモードでの再生について説明する。スクラッチモードでの再生、すなわち、スクラッチ再生を行う場合、操作者は通常再生をしているときに手で操作円盤部２３の外周部を押しながら素早く時計回り方向又は反時計回り方向に回転させる。
【００５６】
通常、アナログレコードプレーヤを用いてスクラッチ再生を行うとき、操作者は、ターンテーブルの回転に逆らって素早くアナログレコードを回転させるために、アナログレコードを押しながら回転操作（スクラッチ操作）を行う。アナログレコードの内周部よりも外周部に手を添えるほうがアナログレコードを回転させ易いため、操作者は、外周部を押しながら回転操作（スクラッチ操作）を行う。また、操作者が押すのは、アナログレコードの外周部全体ではなく、操作者の利き腕側の一部である。
【００５７】
本実施形態の光ディスク再生装置１００においても、スクラッチ再生を行う場合、操作者がアナログレコードの場合と同様の操作感覚で操作円盤部２３を操作するものとすると、操作円盤部２３は、外周部の操作者の利き腕側の一部が下方向に押圧されながら回転操作される。すなわち、操作者が右利きである場合は、操作円盤部２３の外周部のうち、操作者から見て右半分の部分以内の範囲が押下されてスクラッチ操作（回転操作）が行われる。一方、操作者が左利きである場合は、操作円盤部２３の外周部のうち、操作者から見て左半分の部分以内の範囲が押下されてスクラッチ操作（回転操作）が行われる。
【００５８】
このため、例えば、操作者が右利きである場合は、操作者は利き腕と反対側のＬＥＤ、すなわち、操作者から見て最も左側にあるＬＥＤを点灯させるよう選択指示部を介して指示を入力する。すると、入力を受け付けた選択指示部の指示に従って、制御部１１は、ＬＥＤ４０１〜４０８のうち、操作者から見て最も左側にあるＬＥＤであるＬＥＤ４０７を点灯させる。このとき、押圧検出部３０１〜３０６または３０８に対応するスイッチ部３０ａの押下が検出された場合、第二制御信号が出力され、押圧検出部３０７に対応するスイッチ部３０ａの押下が検出された場合、第三制御信号が出力される。
【００５９】
操作者が右利きの場合、通常、スクラッチ再生の指示は、操作円盤部２３の操作者から見て右半分の外周部を押下することにより行われるため、押下は、押圧検出部３０１〜３０５によって検出される。従って、本構成によれば、通常のスクラッチ再生の指示として右半分の外周部が押下された時は、第二制御信号が出力されて、スクラッチモードでの再生が行われる。
【００６０】
ここで、通常再生とスクラッチ再生との間の移行時の制御について説明する。図６は、本実施形態の光ディスク再生装置１００において、通常再生５０１からスクラッチ再生５０２に移行し、さらに通常再生５０３に戻る場合の、制御部への各制御信号の入力の様子を説明するための図である。
【００６１】
通常再生５０１が行われている時に、操作者が操作円盤部２３の外周部を押しながら回転操作すると、図３に示すように、載置部２１、マット部２２および操作円盤部２３は、筐体部２８のＤ点を支点として押圧力により下方向に撓む。このとき、載置部２１の外周部が１又は複数の押圧検出部３０１〜３０８の各スイッチ部３０ａを押し下げると、それぞれの押圧検出部３０１〜３０８は、制御部１１の指示に従って第二制御信号５０５を生成して制御部１１に出力する。押圧検出部３０１〜３０８が押下を検出した時点をＡ時点とする。
【００６２】
また、光センサ部２９は、操作円盤部２３が回転を開始すると、回転しているスリット部２７ａを検出し、第一制御信号（上述したパルス信号ａおよびパルス信号ｂ）５０４を生成して制御部１１に出力する。
【００６３】
従って、操作者が操作円盤部２３の外周部を押圧しながら回転操作を開始すると、光ディスク再生装置１００内では、図６に示すように、Ａ時点から第一制御信号５０４および第二制御信号５０５が制御部１１に出力される。
【００６４】
制御部１１は、第一制御信号５０４および第二制御信号５０５が共に入力されているとき、第一制御信号５０４に基づいて判別した操作円盤部２３の回転速度及び回転方向に対応した読み出し速度および読み出し順序でＲＡＭ８からデジタルオーディオデータを読み出すようにメモリ制御部７を制御し、スクラッチ再生５０２を行う。
【００６５】
操作者が操作円盤部２３から手を離すと、載置部２１、マット部２２および操作円盤部２３は、弾性により図２に示すように操作円盤部２３が押圧される前の状態に戻る。載置部２１が押圧検出部３０１〜３０８の各スイッチ部３０ａを押し下げなくなると、押下の解除を検出した押圧検出部３０１〜３０８は、制御部１１に向けた第二制御信号５０５の出力を停止する。押圧検出部３０１〜３０８が押下の開示を検出した時点をＢ時点とする。
【００６６】
このとき、操作回転部２３は、慣性でしばらく回転を続ける。このため、制御部１１には、光センサ部２９から第一制御信号５０４がしばらく入力される。Ｂ時点から、操作回転部２３の回転が停止して光センサ部２９から第一の制御信号５０４の入力が終了するまでの間をＣとする。
【００６７】
本実施形態の光ディスク再生装置１００の制御部１１は、光センサ部２９から第一制御信号５０４が入力されていても、押圧検出部３０１〜３０８からの第二制御信号５０５の入力が停止すると、スクラッチ再生５０２を終了し（図６に示すＢ時点）、メモリ制御部７に通常再生時の読み出し速度でＲＡＭ８からデジタルオーディオデータを読み出し、通常再生５０３を行うよう制御をさせる。
【００６８】
すなわち、図６に示すように、制御部１１は、第一制御信号５０４および第二制御信号５０５が共に入力されている間は、第一制御信号に基づいてＲＡＭ８からデジタルオーディオデータを読み出す制御を行い、また、第二制御信号５０５の入力が停止し第一制御信号５０４のみが入力されている状態（図６に示すＣの部分）になると、たとえ、第一制御信号５０４が入力されていても、デジタルオーディオデータを通常再生時の読み出し速度でＲＡＭ８から読み出す制御を行う。すなわち、制御部１１は、第一制御信号５０４と第二制御信号５０５とが入力されていた状態で、第一制御信号５０４のみが入力される状態になった場合、通常再生を行うよう制御する。
【００６９】
従って、操作円盤部２３が慣性によって回転している間に生成された第一制御信号５０４（図６に示すＣの部分）が制御部１１に入力されていても、本実施形態の光ディスク再生装置１００は、第二制御信号５０５の制御部１１への入力が停止するとスクラッチ再生５０２から通常再生５０３に戻ることができる。
【００７０】
以上のように、本実施形態の光ディスク再生装置１００では、スクラッチ再生の終了のタイミングを、所定の押圧検出部３０１〜３０８の押下により出力される第二制御信号の検出の有無で判断しているため、操作円盤部２３の慣性による回転の影響を受けず、より、操作者の意図に近いタイミングで、通常再生にもどることができる。
【００７１】
なお、上述の処理は、スクラッチモードでの再生から通常再生に戻る場合を例にあげて説明したが、スキャンモードから通常再生に戻る場合の処理も基本的に同様である。ただし、上記の説明の第二制御信号により行われている処理が第三制御信号により行われる。
【００７２】
次に、ピッチベンドモードでの動作について説明する。ピッチベンドモードの操作を行う場合、操作者は、通常再生をしているときに、載置部２１、マット部２２および操作円盤部２３が撓まない力加減で操作円盤部２３を時計回り方向又は反時計回り方向に回転させる。光センサ部２９は、操作円盤部２３の回転に伴い、スリット部２７ａのスリットを検出すると、第一制御信号（パルス信号ａおよびパルス信号ｂ）を生成して制御部１１に出力する。このとき、載置部２１が押圧検出部３０１〜３０８の各スイッチ部３０ａを押し下げないため、押圧検出部３０１〜３０８は、制御部１１に第二制御信号を出力しない。
【００７３】
制御部１１は、第一制御信号、第二制御信号および第三制御信号のいずれの入力もない状態から第一制御信号のみが入力されると、第一制御信号のパルス信号ａとパルス信号ｂとの位相差に基づいて判別した操作円盤部２３の回転方向に応じて、メモリ制御部７にＲＡＭ８から読み出すデジタルオーディオデータの読み出し速度を速く又は遅くする制御をさせる。
【００７４】
例えば、操作者が操作円盤部２３を時計回り方向に回転操作したことを第一制御信号から判別すると、制御部１１は、操作円盤部２３の回転数（入力されたパルス信号ａ又はパルス信号ｂのパルス数）に応じて、ＲＡＭ８から読み出すデジタルオーディオデータの速度を速くしていくようにメモリ制御部７を制御する。逆に、操作者が操作円盤部２３を反時計回り方向に回転操作したことを第一制御信号から判別すると、制御部１１は、操作円盤部２３の回転数に応じて、ＲＡＭ８から読み出すデジタルオーディオデータの速度を遅くしていくようにメモリ制御部７に制御をさせる。第一制御信号の入力が停止したことを検出すると、制御部１１は、メモリ制御部７に通常再生時の読み出し速度でＲＡＭ８からデジタルオーディオデータを読み出すよう制御する。
【００７５】
次に、スキャンモードでの操作について説明する。スキャンモードでの操作を行う場合、光ディスク再生装置１００は、予め選択指示部の指示に従って、ＬＥＤ４０１〜４０８のうち指示された１のＬＥＤを点灯させておく。ここでは、一例としてＬＥＤ４０７を点灯させる場合を例に挙げて説明する。
【００７６】
操作者は、通常再生をしているときに、ＬＥＤ４０７に近接した操作円盤部２３の外周部を押し、操作円盤部２３を時計回り方向または反時計回り方向に回転させる。操作円盤部２３の外周部が押下されることにより、載置部２１、マット部２２および操作円盤部２３は、Ｄ点を支点として押圧力により下方向に撓む。押圧検出部３０７は、載置部２１の外周部により対応するスイッチ部３０ａが押下されたことを検出すると、制御部１１からの指示に従って第三制御信号を生成して制御部１１に出力する。
【００７７】
また、光センサ部２９は、回転しているスリット部２７ａのスリットを検出すると、第一制御信号（上述したパルス信号ａおよびパルス信号ｂ）を生成して制御部１１に出力する。
【００７８】
制御部１１は、第一制御信号および第三制御信号が共に入力された場合であって、操作円盤部２３が時計回り方向に回転操作されたことが判別された場合、予め設定されている速度での順方向のスキャンを実行し、操作円盤部２３が反時計回り方向に回転操作されたことが判別された場合、予め設定されている速度で、逆方向のスキャンを実行するよう制御する。例えば、２倍速が予め設定されている場合、操作円盤部２３が時計回り方向に回転操作されると、早送りの２倍速スキャンを実行し、操作円盤部２３が反時計回り方向に回転操作されると、早戻しの２倍速スキャンを実行する。
【００７９】
本実施形態においては、操作円盤部２３が押下されて押圧検出部３０１〜３０８から第三制御信号が入力されているときに、操作円盤部２３が時計回り方向に回転操作されると、早送りの２倍速スキャンを実行し、操作円盤部２３が反時計回りに回転操作されると、早戻しの２倍速スキャンを実行するよう制御する構成としたが、同様の場合において、操作円盤部２３の回転角度に応じてスキャンの速度を変更する構成としてもよい。
【００８０】
例えば、第１の角度を１０°とすると、操作円盤部２３が押下されて押圧検出部３０１〜３０８から第三制御信号が入力されているときに操作円盤部２３が時計回り方向に第１の角度より小さい角度分（例えば、１°〜９°）回転操作されたことを検出すると、再生制御部１１５は、早送りの２倍速スキャンを実行し、操作円盤部２３が時計回り方向に第１の角度以上回転操作されたことを検出すると、早送りの４倍速スキャンを実行するようにしてもよい。これにより、操作円盤部２３の回転方向および回転角度に応じて早送りまたは早戻しのスキャン速度を変更することができる。
【００８１】
なお、上記においては、点灯しているＬＥＤ４０１〜４０８に近接する押圧検出部３０１〜３０８が押下されたことを検出した場合のみ、第三制御信号を出力する構成としているが、これに限られない。例えば、操作円盤部２３が押下されていない状態から、点灯したＬＥＤ（例えば、ＬＥＤ４０１とする）に近接した押圧検出部（この場合、押圧検出部３０１）が初めに押下された場合、当該押圧検出部３０１が押圧されたことを検出してから、その他の押圧検出部３０２〜３０８も含めいずれかの押圧検出部３０１〜３０８が押圧されていることが検出されている間は、押下が検出された押圧検出部３０１〜３０８から第三制御信号を出力するよう制御部１１の押圧箇所判別処理部１１２が制御し、操作円盤部２３の回転角度に応じてスキャンの速度を速くする構成としてもよい。
【００８２】
例えば、点灯したＬＥＤ（この場合は、ＬＥＤ４０１）に近接した押圧検出部（この場合は、押圧検出部３０１）が初めに押下され、操作円盤部２３が押下された状態のまま、操作円盤部２３を時計回り方向に回転操作させた場合、操作円盤部２３の回転角度が大きくなるに従って早送りのスキャン速度が２倍速、４倍速、８倍速、１６倍速と、順に速くなるよう制御部１１の再生制御部１１５が制御する。また、点灯したＬＥＤ（この場合は、ＬＥＤ４０１）に近接した押圧検出部（この場合は、押圧検出部３０１）の操作円盤部２３が初めに押下され、操作円盤部２３が押下された状態のまま操作円盤部２３を反時計回り方向に回転操作させた場合、操作円盤部２３の回転角度が大きくなるに従って、早戻しのスキャン速度２倍速、４倍速、そして、８倍速と早くなるよう制御部１１の再生制御部１１５が制御しても良い。本構成により、操作円盤部２３の回転方向および回転角度に応じて早送りまたは早戻しのスキャン速度を細かく調節することができる。
【００８３】
次に、本実施形態の光ディスク再生装置１００における再生動作を説明する。図７は、本実施形態の光ディスク再生装置１００の再生動作を説明するためのフローチャートである。制御部１１は、図示しないメモリに格納されたＣＤ再生用のプログラムに従って、下記のフローチャートに記載された処理を行う。なお、下記の処理においては、選択指示部により、ＬＥＤ４０７が点灯している場合を例にあげて、説明する。
【００８４】
制御部１１は、操作部１２の図示しない再生ボタンの押下を検出すると、ＣＤに記録されたデジタルオーディオデータを読み取り、読み取ったデジタルオーディオデータをＲＡＭ８に記憶させる（ステップＳ１）。
【００８５】
制御部１１は、通常再生時の読み出し速度でデジタルオーディオデータをＲＡＭ８から読み出させる（ステップＳ２）。ここでは、第一制御信号、第二制御信号および第三制御信号がいずれも入力されていないため、上述のように、制御部１１は、メモリ制御部７に通常再生時の読み出し速度でＲＡＭ８からデジタルオーディオデータを読み出させるよう制御を行う。
【００８６】
制御部１１は、第一制御信号が光センサ部２９から制御部１１に入力されたか否かを判別する（ステップＳ３）。操作円盤部２３が回転操作されると、光センサ部２９は、スリット部２７ａのスリットを検出し、第一制御信号（パルス信号ａ及びパルス信号ｂ）を生成して制御部１１に入力する。すなわち、操作者によって、操作円盤部２３が回転操作されたか否かを判別する。制御部１１は、第一制御信号が検出された場合は、ステップＳ４に進み、一方、第一制御信号が検出されない間は、引き続き通常再生を行う。
【００８７】
次に、制御部１１は、第二制御信号が制御部１１に入力されたか否かを判別する（ステップＳ４）。ステップＳ３において、操作円盤部２３の外周部のうち、操作者から見て右半分の外周部が下方向に押圧されながら回転操作され、載置部２２が押圧検出部３０１〜３０５の少なくとも１つ以上のスイッチ部３０ａが押し下げられると、押し下げられたスイッチ部３０ａに対応する押圧検出部３０１〜３０５は第二制御信号を生成して出力する。この場合、第一制御信号及び第二制御信号が共に制御部１１に入力される。すなわち、操作者が操作円盤部２３の外周部の右半分を押圧しながら回転操作を開始（図６に示すＡ点）すると、図６に示すように、第一制御信号及び第二制御信号が制御部１１に入力される。制御部１１に第一制御信号および第二制御信号が共に入力されたと判別された場合はステップ５に進み、一方、制御部１１に第二制御信号が入力されていないと判別された場合はステップ８に進む。
【００８８】
制御部１１に第一制御信号および第二制御信号が共に入力されたと判別された場合、制御部１１は、操作者から受け付けたジョグダイヤルへの操作を、スクラッチモードでの再生指示とする制御を行う（ステップＳ５）。すなわち、制御部１１は、操作円盤部２３の回転操作に伴い光センサ部２９から入力される第一制御信号に基づいて、ＲＡＭ８から読み出すデジタルオーディオデータの読み出し速度及び読み出し順序（オーディオデータを昇順アドレスで読み出す又は降順で読み出す）を制御する。
【００８９】
制御部１１は、第二制御信号の入力が停止したか否かを判別する（ステップＳ６）。操作者による回転操作が終了し、載置部２１、マット部２２および操作円盤部２３が図２に示すように操作円盤部２３が押圧される前の状態に戻り、載置部２１が押圧検出部３０１〜３０５のいずれのスイッチ部３０ａも押下しなくなると、押圧検出部３０１〜３０５は、制御部１１への第二制御信号の入力を停止する。第二制御信号の入力の停止を検出した場合は、ステップ２にもどり、通常再生を再開する。
【００９０】
ステップＳ４において、第二制御信号が入力されていないと判別された場合、制御部１１は、第三制御信号が入力されているか否かを判別する（ステップＳ８）。操作円盤部２３の外周部のうち、ＬＥＤ４０１に近接した外周部が押下された場合、すなわち、押圧検出部３０７に対応して設けられているスイッチ３０ａが押下されたことを押圧検出部３０７が検出し、第三制御信号を生成して制御部１１に出力する場合、制御部１１は、第三制御信号が入力されているものと判別する。このとき、制御部１１には、第一制御信号と第三制御信号とが入力されていることになる。第三制御信号が入力されていると判別された場合は、処理はステップＳ９にすすみ、入力されていないと判別された場合は、ステップＳ１１に進む。
【００９１】
第一制御信号に加え、第三制御信号が入力されている場合、制御部１１は、操作者のジョグダイヤルへの操作をスキャンモードによる操作の指示とする制御を行う（ステップＳ９）。すなわち、制御部１１は、第一制御信号および第三制御信号の両方の入力を受けている間は、操作円盤部２３の回転方向に応じて、早送りまたは早戻しのスキャンを実行するようメモリ制御部７を制御する。
【００９２】
押圧検出部３０７が、自身に対応づけて設けられているスイッチ部３０ａの押下を検出しなくなると、つまり、操作円盤部２３の押下が停止されると、押下検出部３０７は、制御部１１に向けた第三制御信号の出力を停止する。制御部１１は、ジョグダイヤルの操作をスキャンモードでの操作とする制御を行っている間に、第三制御信号の入力が停止されたことを検出した場合（ステップＳ１０）、処理をステップＳ２に戻し、通常再生を再開するよう制御する。
【００９３】
ステップＳ８において、第三制御信号の入力が検出されない場合、制御部１１は、ジョグダイヤルへの操作を、ピッチベンドモードでの操作指示とする制御を行う。すなわち、第二制御信号および第三制御信号の入力が検出されていない状態で第一制御信号のみが入力されたことを検出した場合、制御部１１は、ジョグダイヤルの操作を、ピッチベンド操作の指示として受け付ける。制御部１１は、操作円盤部２３が回転操作されたことに伴い光センサ部２９から入力される第一制御信号に基づいて、メモリ制御部７にＲＡＭ８から読み出すオーディオデータの読み出し速度を速くまたは遅くする制御を行わせる。
【００９４】
ピッチベンドモードでの操作の指示を受け取っている間に、操作円盤部２３の回転が停止すると、光センサ部２９は、制御部１１に向けて第一制御信号を出力することを停止する。制御部１１は、ピッチベンドモードでの操作の指示を受け取っている間に、第一制御信号の停止を検出すると（ステップＳ１２）、ステップＳ２に戻り、通常再生を再開するよう制御する。
【００９５】
なお、上記処理の間にＲＡＭ８に読み込んだ全てのデータの再生が終了した場合、または、図示しない停止ボタンを介して再生終了の指示を受け付けた場合、制御部１１は、再生処理を終了する。
【００９６】
上述の実施形態では、押圧検出部３０１〜３０８に対応づけて設けられているスイッチ部３０ａ（第二の検出部）をプッシュ型スイッチとした場合を例にあげて説明したが、これに限られない。操作円盤部２３の所定の位置が押下されていることを検出可能な構成であればよい。例えば、第二の検出部は、光センサで構成してもよい。第二の検出部を光センサとする場合、当該光センサを、筐体２８の、載置部２１の外周部が予め定められた位置まで撓むと載置部２１の外周部を検出することができる位置に固定する。
【００９７】
また、操作円盤部２３は、再生時に再生速度に応じてモータで駆動させるようにしもよい。この場合、回転方向および速度を示す第一制御信号からモータでの駆動方向および速度を差し引き、実際に操作者により操作された回転方向および速度を算出することにより、上記と同様の処理を行うことができる。
【００９８】
上述したように、本実施形態の光ディスク再生装置１００では、操作者が、操作円盤部２３の予め定めた箇所（例えば、右半分）の外周部を手で押しながらスクラッチ操作をすることにより、スクラッチモードでの再生を実行し、操作円盤部２３から手を離しスクラッチ操作を終了すると、直ちにスクラッチモードでの再生から通常再生モードでの再生に戻ることができる。
【００９９】
また、操作者が、操作円盤部２３の外周部であって、ＬＥＤ４０７に近接した部分を、手で押しながら操作円盤部２３を回転させることにより、スキャンモードを実現することができる。さらに、操作円盤部２３を押す力加減を弱めて操作円盤部２３を回転させることにより、ピッチベンドモードによる再生を実現することができる。
【０１００】
このように、本実施形態によれば、押圧検出部３０１〜３０８の各スイッチ部３０ａが押圧されない力加減で操作円盤部２３を回転操作する場合と、押圧されるような強い力加減で操作円盤部２３を回転操作する場合と、それぞれに異なる操作の指示として受け付けることができる。また、押圧する位置が点灯したＬＥＤに近接しているか否かによって、スクラッチモード、スキャンモードおよびピッチベンドモードを切り替えることができる。
【０１０１】
すなわち、本実施形態の光ディスク再生装置１００は、操作円盤部２３の押下の力加減の大小により、異なるモードを実現する。また、力加減が大きい場合、操作円盤部２３の、予め定めた箇所を押下して操作した場合と、そうでない箇所を押下して操作した場合と、異なるモードを実現する。
【０１０２】
従って、操作円盤部２３での操作を介して、通常再生モード、スクラッチモード、スキャンモードおよびピッチベンドモードの全ての操作の指示を受け付けることができるため、操作者は操作モードの切り替えの都度、モード切替ボタン等の操作をする必要がなく、操作性が向上する。
【０１０３】
また、本実施形態によれば、操作円盤部２３が複数の指示の入力スイッチを兼ねるため、上述の各モードを切り替える選択ボタンを必要としない。従って、操作のために必要とされるボタン数を減らすことができ、操作部１２の操作パネルに配置する必要のあるボタン数が少なくなる。すなわち、本実施形態の光ディスク再生装置１００によれば、操作性を犠牲にすることなく、操作パネルのサイズを小さくすることができ、その分、光ディスク再生装置１００全体のサイズを小さくすることも可能となる。また、複数の操作指示を１の操作円盤部で兼ねるため、必要な入力機能を効率よく設定することができ、限られたスペースを効率よく利用できる。
【０１０４】
また、従来のＤＪ用ＣＤプレーヤにおいては、ＤＪがジョグダイヤルを回転操作してジョグダイヤルから手を離した場合、ジョグダイヤルの回転が慣性により直ぐには停止せず、ＤＪが意図したタイミングで通常再生に戻ることができない場合がある。しかし、上述の本実施形態によれば、スクラッチ再生を行う場合、操作者がジョグダイヤルから手を離したときに、スクラッチ再生を終了し直ちに通常再生に戻る。このため、操作者が意図したタイミングでスクラッチ再生に戻ることができる。従って、アナログレコードのスクラッチ再生による効果音と同等の効果音を発生させることができる。
【０１０５】
本実施形態においては、押圧検出部の数を８つとした場合を例に挙げて説明したが、押圧検出部の数は、これに限られない。また、それぞれの押圧検出部８が同一円周上に等間隔に設置される場合を例に挙げて説明したが、設置位置もこれに限られない。それぞれ異なる位置であり、押圧されたときに、２つの押圧検出部が同時に押下されない程度に離れた位置に設置されていればよい。
【０１０６】
さらに、隣り合った押圧検出部が同時に２つ押下された場合、上記とは異なる機能として制御されるよう構成してもよい。例えば、異なる機能の指示を受け付ける入力スイッチ、異なる速度でスキャンを行う指示を受け付ける機能などを割り当ててもよい。
【０１０７】
本実施形態では、図示しない選択指示部からの指示信号に応じて、ＬＥＤ４０１〜４０８のうち１のＬＥＤを点灯させる構成としたが、これに限られない。例えば、押圧検出部３０１〜３０８のうち複数の押圧検出部が連続して押圧された場合、その押圧された順序に応じて、操作者（ＤＪ）が希望するＬＥＤを点灯させる構成としてもよい。例えば、押圧検出部３０１〜３０８の中から操作円盤部２３の中央に対して対抗する位置にある押圧検出部が連続して押下された場合、最後に押圧された押圧検出部に近接したＬＥＤを点灯させるよう制御部１１が制御する構成としてもよい。具体的には、図４において、押圧検出部３０１〜３０８のうち、初めに押圧検出部３０４が押下され、次に押圧検出部３０８が押下された場合は、押圧検出部３０８に近接したＬＥＤ４０８が点灯するよう制御部１１が制御する構成とする。また、初めに押圧検出部３０５が押下され、次に押圧検出部３０１が押下された場合は、押圧検出部３０１に近接したＬＥＤ４０１が点灯するよう制御部１１が制御する構成とする。
【０１０８】
本構成により、選択指示部を操作パネル上に設ける必要がなくなるため、操作円盤部２３以外の入力スイッチをさらに少なくすることができ、操作パネルの面積をさらに小さくすることができる。
【０１０９】
また、本実施形態では、ＬＥＤ４０１〜４０８を操作円盤部２３の外側に設け、１のＬＥＤを点灯させることにより、所定モードの再生時に押下すべき箇所を操作者示す構成としているが、これに限られない。所定モード再生時に操作円盤部２３の押下すべき箇所を、操作者が識別できるような構成であればよい。
【図面の簡単な説明】
【０１１０】
【図１】図１は、本実施形態の光ディスク再生装置の構成を示すブロック図である。
【図２】図２は、本実施形態の光ディスク再生装置の操作部が備えるジョグダイヤルの側断面を示す図である。
【図３】図３は、本実施形態の光ディスク再生装置の操作部が備えるジョグダイヤルの側断面を示す図である。
【図４】図４は、本実施形態の光ディスク再生装置の操作部が備えるジョグダイヤルを上面から見た図である。
【図５】図５は、本実施形態の位置情報の一例を示す図である。
【図６】図６は、本実施形態の光ディスク再生装置の各再生モードにおける制御部への制御信号の入力の様子を説明するための図である。
【図７】図７は、本実施形態の光ディスク再生装置の再生動作を説明するためのフローチャートである。
【符号の説明】
【０１１１】
１…ターンテーブル、２…スピンドルモータ、３…サーボ制御部、４…光ピックアップ、５…再生アンプ、６…信号処理部、７…メモリ制御部、８…ＲＡＭ、９…ＤＡＣ、１０…出力端子、１１…制御部、１１１…ＬＥＤ選択処理部、１１２…押圧箇所判定処理部、１１４…回転方向および速度判定部、１１５…再生制御部、１２…操作部、１３…表示部、２１…載置部、２２…マット部、２３…操作円盤部、２３ａ…突起部、２４…保持部、２５…回転軸、２６…ネジ、２７…スケール部、２７ａ…スリット部、２８…光ディスク再生装置１００の筺体部、２９…光センサ部、３０１〜３０８…押圧検出部、３０ａ…スイッチ部、４０１〜４０８…ＬＥＤ
【図１】
2006268902.tif 000003
【図２】
2006268902.tif 000004
【図３】
2006268902.tif 000005
【図４】
2006268902.tif 000006
【図５】
2006268902.tif 000007
【図６】
2006268902.tif 000008
【図７】
2006268902.tif 000009